(57)【特許請求の範囲】
【請求項１】
第１の基板に設けられた第１の接合部と、第２の基板に設けられた第２の接合部とを接合することにより上記第１の基板に接続された上記第２の基板を、所定状態に支持する基板支持装置において、
それぞれ可撓材を用いて形成され、上記第２の基板を上記第１の基板に対する当該第２の基板の接続方向と垂直又はほぼ垂直な第１又は第２の方向側から、それぞれ一面を上記第２の基板の周端部に対向又は当接させるようにして上記第２の基板を上記所定状態に挟んで支持する第１及び第２の支持手段と、
上記第１及び第２の支持手段の上記第１の基板に近い方の一端部だけを上記第１の基板に対して相対的に固定することにより、上記第１及び第２の支持手段を、上記第１の基板に対してそれぞれの一部が所定の範囲内において上記第１又は第２の方向に独立に移動できるように保持する保持手段と
を具えることを特徴とする基板支持装置。
【請求項２】
上記第１及び第２の支持手段は、
それぞれ上記第１の基板に対する上記第２の基板の接続位置に対応させて、それぞれ上記一面に上記第１の基板に対する上記第２の基板の上記接続方向と平行にガイド溝が設けられ、上記第２の基板の対応する上記周端部を上記第１及び第２の支持手段の各上記ガイド溝によつて支えるようにして上記第２の基板を上記所定状態に支持する
ことを特徴とする請求項１に記載の基板支持装置。
【発明の詳細な説明】
【０００１】
【目次】
以下の順序で本発明を説明する。
産業上の利用分野
従来の技術（図５及び図６）
発明が解決しようとする課題（図５及び図６）
課題を解決するための手段（図１〜図４）
作用（図１〜図４）
実施例
（１）第１実施例（図１、図２、第５及び図６）
（２）第２実施例（図１〜図６）
（３）他の実施例（図１〜図４）
発明の効果
【０００２】
【産業上の利用分野】
本発明は基板支持装置に関し、例えばマザーボードに接続された基板を所定状態に支持することにより当該基板が不用意にマザーボードから離脱するのを防止する基板支持装置として適用して好適なものである。
【０００３】
【従来の技術】
従来、例えば放送局等で用いられている可搬型のビデオカメラでは、信号処理回路が図５及び図６に示すような複数のカード状の回路基板１（以下、これをカード基板１と呼ぶ）に分けて形成されている。
通常、これらのカード基板１は、それぞれその一辺端部に配置されたコネクタ２をカメラ本体３内部に固定されたマザーボード４の対応するコネクタ５に接合することにより当該マザーボード４に電気的及び物理的に接続された状態でカメラ本体３内部に収納される。
【０００４】
このためこの種のビデオカメラでは、通常、マザーボード４のカード基板接続面４Ａ近傍に、それぞれ複数のガイド溝６Ａ、７Ａが形成された一対の基板レール６、７から構成される基板支持部８が、これら第１及び第２の基板レール６、７同士が所定距離を介して平行に位置するように、かつこれら第１及び第２の基板レール６、７がマザーボード４に対してそれぞれ垂直に位置するように固定配置されている（図５及び図６では第１及び第２の基板レール６、７がそれぞれカメラ本体３の上壁内面又は下壁内面に固着されている）。
【０００５】
かくしてこの種のビデオカメラでは、第１及び第２の基板レール６、７の対応する各ガイド溝６Ａ、７Ａにカード基板１の上端部又は下端部をそれぞれ嵌め込み、押し込むだけで当該カード基板１を容易にマザーボード４に接続し得る一方、マザーボード４に接続されたこれら各カード基板１を第１及び第２の基板レール６、７によつて挟むようにして所定状態に支持することにより各カード基板１がマザーボード４から不用意に離脱するのを防止し得るようになされている。
【０００６】
【発明が解決しようとする課題】
ところでこのようにしてマザーボード４に接続された各カード基板１を当該マザーボード４から取り外す作業は、通常、ユーザがカード基板１のコネクタ２が取り付けられた一辺端部と対向する他辺端部を掴み、当該カード基板１を第１及び第２の基板レール６、７の各ガイド溝６Ａ、７Ａに沿つて引つ張りながらコネクタ２、５を中心として上下方向（カード基板１がマザーボード４に横向きに接続されている場合には左右方向）に振り動かすようにして行われている。
ところが、近年各カード基板１に形成される信号処理回路も複雑化し、各カード基板１とマザーボード４とを接続するコネクタ２、５のピン数も増加してきているため、マザーボード４に接続されたカード基板１を当該マザーボード４から取り外すためには強い抜去力を必要とするなど、カード基板１がマザーボード４から取り外し難くなつてきている問題があつた。
【０００７】
このためこの種のビデオカメラの中には、第１及び第２の基板レール６、７の各ガイド溝６Ａ、７Ａを通常よりも深く形成することにより、カード基板１をコネクタ２、５を中心として上下方向に大きく振り動かすことができる分、カード基板１をより容易にマザーボード４から取り出し得るような工夫がなされたものがある。
ところがこのように第１及び第２の基板レール６、７を構成する場合、各カード基板１を上下方向に大きく振り動かし得るようにするためにはカード基板１の上下方向の両端部に回路を形成することができず、この結果カード基板１の実装面積が少なくなる問題があつた。
【０００８】
かかる問題を解決するため、従来、図５及び図６のように、カード基板１のコネクタ２が取り付けられた一辺端部と対向する他辺端部の上方位置にレバー（以下、これを基板レバーと呼ぶ）９をその中心部を軸として自在に回転し得るように取り付けることが提案され、行われている。
このような基板レバー９が取り付けられたカード基板１は、マザーボード４に接続された状態において基板レバー９の一端９Ａ側を矢印ａで示す回転方向に強く回転させることによつて基板レバー９の他端９Ｂ側を第１の基板レール１を保持する例えばカメラ本体３に強く押しつけることができるため、てこの原理によつてマザーボード４から比較的容易に取り外すことができる。
【０００９】
ところがカード基板１にこのような基板レバー９を取り付ける方法は、この基板支持部８の取付け先となる機器の内部に基板レバー９分の余分なスペースを必要とするため、大型機器には適用し易いものの、可搬型のビデオカメラのような小型機器に対しては適用が難しい問題があつた。
【００１０】
本発明は以上の点を考慮してなされたもので、第１の基板に接続された第２の基板を第１の基板から取り外し易く所定状態に支持し得る基板支持装置を提案しようとするものである。
【００１１】
【課題を解決するための手段】
かかる課題を解決するため本発明においては、第１の基板に設けられた第１の接合部と、第２の基板に設けられた第２の接合部とを接合することにより第１の基板に接続された第２の基板を、所定状態に支持する基板支持装置において、それぞれ可撓材を用いて形成され、第２の基板を第１の基板に対する当該第２の基板の接続方向と垂直又はほぼ垂直な第１又は第２の方向側から、それぞれ一面を第２の基板の周端部に対向又は当接させるようにして第２の基板を所定状態に挟んで支持する第１及び第２の支持手段と、第１及び第２の支持手段の第１の基板に近い方の一端部だけを第１の基板に対して相対的に固定することにより、第１及び第２の支持手段を、第１の基板に対してそれぞれの一部が所定の範囲内において第１又は第２の方向に独立に移動できるように保持する保持手段とを設けるようにした。
【００１２】
【作用】
第１の基板に取り付けられた第２の基板を当該第１の基板から取り外すに際して第２の基板を第１及び第２の方向に振り動かした場合、第１及び第２の支持手段は第１又は第２の方向に第１の基板から遠い方の一部を移動できるように支持されているため、第２の基板の動きに応じて当該第２の基板に押されるようにして必要に応じて当該第１の基板から遠い方が第１又は第２の方向に撓んで移動する。
従つて、簡易な構成により第１及び第２の支持手段が第１の基板に対して相対的に固定されている従来の基板支持装置に比べて第２の基板を大きく振り動かすことができる。
【００１３】
【実施例】
以下図面について、本発明の一実施例を詳述する。
【００１４】
（１）第１実施例
図５及び図６との対応部分に同一符号を付して示す図１及び図２において、１０は全体として第１実施例による基板支持装置を示し、第１及び第２の基板レール１１、１２から構成されている。
第１の基板レール１１は、各カード基板１のマザーボード４への接続位置にそれぞれ対応させて、下面に複数のガイド溝１１Ａがマザーボード４への各カード基板１の接続方向（矢印ｂ、以下この方向を後方向と呼ぶ）と平行に設けられており、後方向の端部両側にそれぞれ穿設された各ばか穴１１Ｂ、１１Ｃを介して第１及び第２のねじ１３、１４をそれぞれ機器本体１５の上壁内面に設けられた凸部１５Ａに螺着することにより、マザーボード４のカード基板接続面４Ａ近傍に当該カード基板接続面４Ａと垂直に位置するように、かつ後端部がマザーボード４に対して相対的に固定された状態に配置されている。
【００１５】
同様にして第２の基板レール１２は、上面に第１の基板レール１１の各ガイド溝１１Ａにそれぞれ対応させて複数のガイド溝１２Ａが設けられており、後方向の端部両側にそれぞれ穿設された各ばか穴１２Ｂ、１２Ｃを介して第３及び第４のねじ１６、１７をそれぞれ機器本体１５の下壁内面に設けられた凸部１５Ｂに螺着することにより、各ガイド溝１２Ａがそれぞれ第１の基板レール１１の対応するガイド溝１１Ａと対向するように、かつマザーボード４のカード基板接続面４Ａ近傍において当該カード基板接続面４Ａと垂直に位置するように、かつ後端部が相対的にマザーボード４に対して固定された状態に配置されている。
【００１６】
かくしてこの基板支持装置１０では、ユーザがカード基板１の上端部及び下端部を第１及び第２の基板レール１１、１２の対応する各ガイド溝１１Ａ、１２Ａにそれぞれ嵌め込んだ後これを押し込んだときに、このカード基板１を第１及び第２の基板レール１１、１２の各ガイド溝１１Ａ、１２Ａによつてマザーボード４の接続位置にまでガイドし得る一方、これらマザーボード４に接続された各カード基板１を第１及び第２の基板レール１１、１２によつて上側及び下側から挟むようにして所定状態に支持することにより、これら各カード基板１がマザーボード４から不用意に離脱するのを防止し得るようになされている。
【００１７】
この実施例の場合、第１及び第２の基板レール１１、１２は、それぞれプラスチツク等の可撓材を用いて形成されており、これにより機器本体１５に対して固定されていない前端部がそれぞれ必要に応じて上下方向に自在に撓み得るようになされている。
従つてこの基板支持装置１０では、マザーボード４に接続されたカード基板１が上下方向に動かされたときに、当該カード基板１を介して第１及び第２の基板レール１１、１２に与えられる上方向又は下方向の力に応じてこれら第１及び第２の基板レール１１、１２が相当量撓んで上下方向に移動することにより、カード基板１を従来よりも大きく上下方向に振り動かすことができるようになされている。
【００１８】
またこの実施例の場合、図１及び図２からも明らかなように、各カード基板１にはコネクタ２が取り付けられている一辺端部と対向する他辺端部の中央位置にプルリング１８が配設されており、かくしてマザーボード４に接続された各カード基板１をプルリング１８を手掛かりとして上下方向に振り動かし、及び又はマザーボード４から離反する方向に容易に引つ張ることができるようになされている。
【００１９】
さらにこの実施例の場合、この基板支持装置１０は放送局等で用いられる可搬型のビデオカメラ用として、当該ビデオカメラのカメラ本体内部に配置されている。
【００２０】
以上の構成において、この基板支持装置１０では、マザーボード４に接続されたカード基板１を上方向に大きく動かしたときには第１の基板レール１１がカード基板１の上端部を介して与えられる上方向の力に基づいて上方向に撓む一方、当該カード基板１を下方向に大きく動かしたときには第２の基板レール１２がカード基板１の下端部を介して与えられる下方向の力に基づいて下方向に撓む。
従つてこの基板支持装置１０では、必要に応じて第１及び第２の基板レール１１、１２が上方向又は下方向に独立して移動し得る分、従来の基板支持装置８（図５及び図６）のように第１及び第２の基板レール６、７（図５及び図６）がマザーボード４に対して固定状態にある場合に比べてカード基板１を上下方向に大きく振り動かすことができるため、マザーボード４に接続されたカード基板１を取り外し易く所定状態に支持することができる。
【００２１】
この場合この基板支持装置１０では、第１及び第２の基板レール１１、１２に形成されるガイド溝１１Ａ、１２Ａの深さを通常の基板支持装置８（図５及び図６）を構成する第１及び第２の基板レール６、７（図５及び図６）のガイド溝６Ａ、７Ａ（図５及び図６）よりも深くする必要がなく、従つてカード基板１の実装面積を減少させることはない。
またこの基板支持装置１０では、各カード基板１に対して基板レバー９（図５及び図６）のようなマザーボード４からカード基板１を容易に取り外すための特別な部材を取り付ける必要がないため、小型機器にも実用上十分に適用することができる。
【００２２】
以上の構成によれば、第１及び第２の基板レール１１、１２を、マザーボード４のカード基板接続面４Ａ近傍に当該マザーボード４に近い方の端部をマザーボード４に対して相対的に固定された状態に配置するようにしたことにより、マザーボード４に接続された各カード基板１を上下方向により大きく振り動かすことができ、かくしてカード基板１をマザーボード４から取り外し易く所定状態に支持することのできる基板支持装置を実現できる。
【００２３】
（２）第２実施例
図１及び図２との対応部分に同一符号を付して示す図３及び図４は、第２実施例による基板支持装置２０を示し、機器本体２１内部にそれぞれ独立して上下方向に自由に移動し得るように配設された第１及び第２の基板レール２２、２３から構成されている。
すなわちこの基板支持装置２０の場合、第１の基板レール２２の下面には第１実施例の第１の基板レール１１（図１及び図２）と同様にして複数のガイド溝２２Ａが設けられている。
【００２４】
この第１の基板レール２２は、四隅にそれぞれ穿設された各ばか穴２２Ｂ、２２Ｃ、２２Ｄ、２２Ｅをそれぞれ介して第１〜第４のねじ３０、３１、３２、３３、３４を機器本体２１の上壁内面に、当該上壁内面と第１の基板レール２２の上面との間に隙間（厚さＨ）が生じるように螺着することにより、これら第１〜第４の各ねじ３０〜３３に上下方向に移動自在に保持されるようにして機器本体２１に取り付けられている。
【００２５】
この場合各第１〜第４のねじ３０〜３３には機器本体２１の上壁内面及び第１の基板レール２２間に位置するように圧縮コイルばね３４、３５、３６、３７がそれぞれ嵌め込まれており、これら各圧縮コイルばね３４〜３７の弾性力によつて通常時には第１の基板レール２２を下方向に付勢し得るようになされている。
【００２６】
これにより第１の基板レール２２は、通常時、各圧縮コイルばね３４〜３７から与えられる下方向の力（及び重力）に基づいて、機器本体２１の上壁内面と隙間を介して対向するように位置する一方、この状態から上方向の力が与えられたときには当該力に応じた相当量上方向に自由に移動し得るようになされている。
【００２７】
同様にして第２の基板レール２３においては、第１の基板レール２２の各ガイド溝２２Ａにそれぞれ対応させて上面に複数のガイド溝２３Ａが設けられ、四隅にそれぞれ穿設された各ばか穴２３Ｂ、２３Ｃ、２３Ｄ、２３Ｅを介して第５〜第８のねじ４０、４１、４２、４３をそれぞれ機器本体２１の上壁内面に、当該上壁内面と第２の基板レール２３の上面との間に隙間（厚さＬ）が生じるように螺着することによりこれら第５〜第８のねじ４０〜４３に上下方向に移動自在に保持されるようにして機器本体２１に取り付けられている。
【００２８】
この場合各第５〜第８のねじ４０〜４３には機器本体２１の下壁内面及び第２の基板レール２３間に位置するように圧縮コイルばね４４、４５、４６、４７がそれぞれ嵌め込まれており、かくしてこれら各圧縮コイルばね４４〜４７の弾性力によつて第２の基板レール２３を上方向に付勢し得るようになされている。
これにより第２の基板レール２３は、通常時、各圧縮コイルばね４４〜４７から与えられる上方向の力に基づいて、機器本体２１の下壁内面と隙間を介して対向するように位置する一方、この状態から下方向の力が与えられたときには当該力に応じた相当量下方向に自由に移動し得るようになされている。
【００２９】
この実施例の場合、この基板支持装置２０は放送局等で用いられる可搬型のビデオカメラ用として、当該ビデオカメラのカメラ本体内部に配置されている。
【００３０】
以上の構成において、この基板支持装置２０では、マザーボード４に接続されたカード基板１を上方向に大きく動かしたときには、第１の基板レール２２がカード基板１の上端部を介して与えられる上方向の力に基づいて各部位が上方向に相当量変位する一方、当該カード基板１を下方向に大きく動かしたときには、第２の基板レール２３がカード基板１の下端部を介して与えられる下方向の力に基づいて各部位が下方向に相当量変位する。
従つてこの基板支持装置２０では、第１及び第２の基板レール２２、２３がそれぞれ各部位ごとに上方向又は下方向に必要量変位し得る分、第１実施例よりもより自由にカード基板１を上下方向に大きく振り動かすことができ、かくしてユーザがより容易にカード基板１をマザーボード４から取り外すことができる。
【００３１】
この場合この基板支持装置２０においても、第１実施例と同様に第１及び第２の基板レール２２、２３に形成される各ガイド溝２２Ａ、２３Ａの深さを通常の基板支持装置８（図５及び図６）を構成する第１及び第２の基板レール２２、２３のガイド溝２２Ａ、２３Ａよりも深くする必要がないため、カード基板１の実装面積を減少させずにすみ、また各カード基板１に対して基板レバー９（図５及び図６）のようなマザーボード４からカード基板１を容易に取り外すための特別な部材を取り付ける必要がないため、小型機器にも実用上十分に適用することができる。
【００３２】
以上の構成によれば、第１及び第２の基板レール２２、２３を機器本体２１と隙間を介して位置するように、かつ所定の範囲内において上方向又は下方向に移動自在に配置すると共に、これら第１及び第２の基板レール２２、２３をそれぞれ下方向又は上方向に圧縮コイルばね３４〜３７、４４〜４７を用いて付勢するようにしたことにより、マザーボード４に接続された各カード基板１を第１実施例に比べてより自由に振り動かすことができ、かくして第１実施例の基板支持装置１０（図１及び図２）に比べてより容易にカード基板１をマザーボード４からより取り外し易く所定状態に支持することのできる基板支持装置を実現できる。
【００３３】
（３）他の実施例
なお上述の第１及び第２実施例においては、本発明を可搬型のビデオカメラに適用するようにした場合について述べたが、本発明はこれに限らず、この他種々の機器に適用することができる。
【００３４】
また上述の第２実施例においては、第１及び第２の各基板レール２２、２３を下方向又は上方向に付勢する付勢手段として圧縮コイルばね３４〜３７、４４〜４７を用いるようにした場合について述べたが、本発明はこれに限らず、第１及び第２の各基板レール２２、２３を下方向又は上方向に付勢する付勢手段としては、この他例えば板ばねやゴム材等の他の弾性材を用いるようにしても良い。
【００３５】
さらに上述の第１実施例においては、第１及び第２の基板レール１１、１２の前端部が所定の範囲内において所定方向（実施例では上下方向）に自在に移動できるように保持する保持手段及び方法としてねじ１３、１４又は１６、１７を用い、これら１３、１４又は１６、１７を機器本体１５に所定状態に螺着するようにした場合について述べたが、本発明はこれに限らず、要は、第１及び第２の基板レール１１、１２の所定の一部（実施例では前端部）が各カード基板１の振り動かす方向（実施例では上下方向）に自在にかつそれぞれ個別に移動し得るようにこれら第１及び第２の基板レール１１、１２を保持することができるのであれば、第１及び第２の基板レール１１、１２の保持手段及び保持方法としてはこの他種々の保持手段及び保持方法を適用できる。
【００３６】
同様に上述の第２実施例においては、第１及び第２の基板レール２２、２３が所定の範囲内において所定方向（実施例では上下方向）に自在に移動できるように保持する保持手段及び方法として第１〜第４のねじ３０〜３４又は第５〜第８のねじ４０〜４４を用い、これら第１〜第４のねじ３０〜３４又は第５〜第８のねじ４０〜４４を機器本体２１に所定状態に螺着するようにした場合について述べたが、本発明はこれに限らず、要は、第１及び第２の基板レール２２、２３を全体としてそれぞれ個別にかつ自在に所定方向に移動自在に保持することができるのであれば、第１及び第２の基板レール２２、２３の保持方法及び保持手段としては、この他種々の保持方法及び保持手段を適用できる。
【００３７】
さらに上述の第１及び第２実施例においては、マザーボード４に接続されたカード基板１を所定状態に支持する支持手段として板状の第１及び第２の基板レール１１、１２及び２２、２３を適用するようにした場合について述べたが、本発明はこれに限らず、要は、各カード基板１をマザーボードに対するカード基板１の接続方向と垂直又はほぼ垂直な第１又は第２の方向側からそれぞれカード基板１の周端部と当接又は対向た状態で挟むようにして支持することができるのであれば、マザーボード４に接続されたカード基板１を所定状態に支持する支持手段としては板状の第１及び第２の基板レール１１、１２及び２２、２３以外の種々の支持手段を適用できる。
【００３８】
この場合マザーボード４に接続されたカード基板１を所定状態に支持する支持手段として、例えば板状部材を用いる場合においても、これら支持手段に特に第１実施例及び第２実施例のようなガイド溝１１Ａ、１２Ａ又は２２Ａ、２３Ａ（図１及び図２若しくは図３及び図４）を設けずに他のガイド手段を設ける（マザーボード４に対する各カード基板１の接続位置にそれぞれ対応させて突起を順次設ける等）ようにしても良い。
【００３９】
【発明の効果】
上述のように本発明によれば、第１の基板に設けられた第１の接合部と、第２の基板に設けられた第２の接合部とを接合することにより第１の基板に接続された第２の基板を、所定状態に支持する基板支持装置において、第２の基板を、第１の基板に対する第２の基板の接続方向と垂直又はほぼ垂直な第１又は第２の方向側からそれぞれ可撓材を用いて形成された第１及び第２の支持手段によつてそれぞれ一面を第２の基板の周端部に対向又は当接させて挟むようにして支持すると共に、これら第１及び第２の支持手段における第１の基板に近い方の一端部だけを第１の基板に対して相対的に固定することにより、第１及び第２の支持手段をそれぞれ独立に、第１の基板に対して一部が所定の範囲内において第１又は第２の方向に移動できるように保持するようにしたことにより、第１及び第２の支持手段を必要に応じて第１又は第２の方向に撓ませて移動させることができる分、第２の基板を大きく振り動かすことができ、かくして簡易な構成によつて第１の基板に接続された第２の基板を第１の基板から容易に取り外し得るように所定状態に支持することのできる基板支持装置を実現できる。
【図面の簡単な説明】
【図１】第１実施例による基板支持装置の構成を示す分解斜視図である。
【図２】第１実施例による基板支持装置の構成を示す略線的な側面図である。
【図３】第２実施例による基板支持装置の構成を示す分解斜視図である。
【図４】第２実施例による基板支持装置の構成を示す略線的な側面図である。
【図５】従来の基板支持装置の構成を示す斜視図である。
【図６】従来の基板支持装置の構成を示す略線的な側面図である。
【符号の説明】
１……カード基板、２、５……コネクタ、４……マザーボード、４Ａ……カード基板接続面、１０、２０……基板支持装置、１１、１２、２２、２３……基板レール、１１Ａ、１２Ａ、２２Ａ、２３Ａ……ガイド溝、１３、１４、１６、１７、３０〜３４、４０〜４４……ねじ、１５、２１……機器本体、３０〜３４、４０〜４４……圧縮コイルばね。
【図１】
0003669519.tif 000002
【図２】
0003669519.tif 000003
【図３】
0003669519.tif 000004
【図４】
0003669519.tif 000005
【図５】
0003669519.tif 000006
【図６】
0003669519.tif 000007